(57)【特許請求の範囲】
【請求項１】
プロジェクタを天井に固定する固定手段と、空気を清浄化する空気清浄手段と、を有するプロジェクタ用天吊り装置において、
前記空気清浄手段は、平板状であり、前記空気清浄手段の厚み方向に直交する一方の面である上面が天井に当接した状態で天井に取り付けられるように構成され、前記空気清浄手段の厚み方向に直交する他方の面である下面に吸気口と排気口とが形成されており、
前記空気清浄手段の内部には、前記空気清浄手段の外部の空気を前記内部へ吸入する送風手段と、空気を清浄化する集塵手段と、が備えられ、前記送風手段により前記吸気口から前記内部へ吸入された空気が、前記集塵手段を通過することにより清浄化された後に、前記排気口から排出されるように構成されており、
前記固定手段は前記下面に配置されていることを特徴とする、プロジェクタ用天吊り装置。
【請求項２】
前記プロジェクタには、前記プロジェクタの内部へ空気を吸入するための空気吸入口が形成されており、
前記排気口は、前記固定手段に前記プロジェクタが固定されたときに前記空気吸入口の上方に位置する領域に形成されている、請求項１に記載のプロジェクタ用天吊り装置。
【請求項３】
前記空気清浄手段は、前記空気清浄手段の前記排気口に接続される一方の開口部と、前記プロジェクタの前記空気吸入口に接続される他方の開口部とを有する導管を備えている、請求項１または２に記載のプロジェクタ用天吊り装置。
【発明の詳細な説明】
【技術分野】
【０００１】
本発明は、プロジェクタ用天吊り装置に関する。
【背景技術】
【０００２】
天吊り式のプロジェクタは、従来より、会議室などに設置されてプレゼンテーション用などに利用されるのが一般的であったが、近年では、これに加えてホールや店舗などにも設置されることが多くなってきている。天吊り式のプロジェクタは、このような用途の多様化により、埃等の多い場所に設置されることも多くなってきている。
【０００３】
プロジェクタは、通常、光源等を冷却するための冷却用ファンを備えており、冷却用ファンは、プロジェクタの外部の空気をプロジェクタの筐体に形成された吸気口からプロジェクタ内部へ送り込むことにより光源等を冷却する。吸気口には、プロジェクタ内部への埃等の混入を防ぐために、フィルタが取り付けられている。
【０００４】
しかし、プロジェクタが埃等の多い場所に設置される場合には、このフィルタのみではプロジェクタ内部への埃等の混入を十分に防げずにプロジェクタ内部に埃等が混入する場合がある。それが原因で、プロジェクタが故障して正常に動作しなくなることや、プロジェクタに表示される画像に悪影響を及ぼすことなどの問題が発生することがある。
【０００５】
そこで、近年では、プロジェクタ内部への埃等の混入を十分に防ぐための技術が検討されている。具体的にはフィルタの改良が多く試みられている。プロジェクタのフィルタを改良することにより、プロジェクタが埃等の多い場所に設置される場合にもプロジェクタ内部への埃等の混入を防ぐことができる従来技術が特許文献１に開示されている。
【特許文献１】特開２００４−１５７３４７号公報
【発明の開示】
【発明が解決しようとする課題】
【０００６】
しかしながら、プロジェクタ自体にフィルタを取り付けることのみにより埃等の混入を防止するプロジェクタでは、プロジェクタが埃等の多い場所に設置される場合には、フィルタによる集塵量が多くなるため、フィルタが目詰まりを起こしやすい。そのため、フィルタ交換を高い頻度で行う必要があるため、メンテナンスに手間がかかる。
【０００７】
また、フィルタ交換の頻度が高くなることにより、ユーザがフィルタ交換をすることを忘れることが多くなり、それが原因で、プロジェクタのフィルタが目詰まりを起こしてしまうことがある。プロジェクタのフィルタが目詰まりを起こすと、冷却用ファンによって吸気口からプロジェクタ内部へ送り込まれる空気の量が減少してしまい、プロジェクタの光源等の冷却が不十分になることによりプロジェクタ内部の温度が上昇してしまう。このプロジェクタ内部の温度上昇が原因で、プロジェクタ内部の部品が損傷を受けることにより、プロジェクタが短寿命化してしまうことがある。
【０００８】
以上より、プロジェクタが埃等の多い場所に設置される場合において、プロジェクタ内部への埃等の混入を防止するためには、プロジェクタ自体にフィルタを取り付ける手法以外の手法を用いることが望ましい。
【０００９】
そこで本発明は、天吊り式のプロジェクタを天井に固定する天吊り装置に着目し、プロジェクタのメンテナンス性を向上させるとともにプロジェクタを長寿命化させることができるプロジェクタ用天吊り装置を提供することを目的とする。
【課題を解決するための手段】
【００１０】
上記目的を達成するため、本発明のプロジェクタ用天吊り装置は、プロジェクタを天井に固定する固定手段と、空気を清浄化する空気清浄手段と、を有するプロジェクタ用天吊り装置において、前記空気清浄手段は、平板状であり、前記空気清浄手段の厚み方向に直交する一方の面である上面が天井に当接した状態で天井に取り付けられるように構成され、前記空気清浄手段の厚み方向に直交する他方の面である下面に吸気口と排気口とが形成されており、前記空気清浄手段の内部には、前記空気清浄手段の外部の空気を前記内部へ吸入する送風手段と、空気を清浄化する集塵手段と、が備えられ、前記送風手段により前記吸気口から前記内部へ吸入された空気が、前記集塵手段を通過することにより清浄化された後に、前記排気口から排出されるように構成されており、前記固定手段は前記下面に配置されている。
【発明の効果】
【００１１】
本発明によれば、プロジェクタのメンテナンス性を向上させるとともにプロジェクタを長寿命化させることができるプロジェクタ用天吊り装置を提供することができる。
【発明を実施するための最良の形態】
【００１２】
次に、本発明の実施形態について図面を参照して説明する。
（第１の実施形態）
図１は、本発明の第１の実施形態に係るプロジェクタ用天吊り装置およびそれに取り付けられたプロジェクタの正面図である。
【００１３】
本実施形態に係るプロジェクタ用天吊り装置は、プロジェクタを固定する天吊り金具２と、空気を清浄化する空気清浄機３と、を有している。
【００１４】
空気清浄機３は平板状であり、説明の便宜上、図１に示すように、厚み方向に直交する一方の面を上面とし、厚み方向に直交する他方の面を下面とする。空気清浄機３の下面には、吸気口３ａと排気口３ｂとが形成されている。空気清浄機３の内部には、ファン（不図示）等により構成される送風部（不図示）と、フィルタ（不図示）等により構成される集塵部（不図示）と、が備えられている。送風部により吸気口３ａから空気清浄機３の内部へ送り込まれた空気は、集塵部を通り抜けることにより清浄化された後、排気口３ｂから排出される。
【００１５】
天吊り金具２は、空気清浄機３の下面から空気清浄機３の外側へ突出するように設けられている。また、空気清浄機３および天吊り金具２は一体となって、空気清浄機３の上面が天井に当接するように、ネジ（不図示）等を用いて天井に取り付けられる。このプロジェクタ用天吊り装置は、天吊り金具２により、プロジェクタを天井に固定させることができる。
【００１６】
本実施形態において用いたプロジェクタ１は一般的に用いられている天吊り式のプロジェクタである。プロジェクタ１は、画像を表示させるために発光する光源（不図示）と、光源等を冷却する冷却ファン（不図示）と、を有している。また、プロジェクタ１の筐体の、一方の側面には空気吸入口である吸気口４が形成されており、他方の側面には空気排出口である排気口５が形成されている。
【００１７】
プロジェクタ１は、プロジェクタ１の外部の空気が冷却用ファンにより吸気口４からプロジェクタ１の内部へ送り込まれることにより光源等が冷却され、その空気はプロジェクタ１の内部を通り抜けて排気口５から排出されるように構成されている。なお、吸気口４には、埃等がプロジェクタ１の内部へ混入しにくくさせるためにフィルタ（不図示）が取り付けられている。
【００１８】
このプロジェクタ用天吊り装置の空気清浄機３の排気口３ｂは、天吊り金具２に固定されたプロジェクタ１の吸気口４の上方に設けられており、空気清浄機３により清浄化された空気は、プロジェクタ１の吸気口４のある方向へ向けて空気清浄機３の排気口３ｂから排出されるように構成されている。これにより、空気清浄機３によって清浄化されて排気口３ｂから排出された空気がプロジェクタ１の吸気口４へ送り込まれるので、プロジェクタ１の吸気口４に取り付けられたフィルタの集塵量は減少する。よって、このプロジェクタ用天吊り装置を用いて設置されたプロジェクタは、フィルタ交換を頻繁に行う必要がないため、メンテナンス性が向上する。
【００１９】
なお、このプロジェクタ用天吊り装置を用いずに、プロジェクタが設置されている場所に別途空気清浄機を設けることも考えられるが、空気清浄機の排気口とプロジェクタの吸気口との距離が遠く離れている場合には、プロジェクタのフィルタによる集塵量を減少させる効果が十分に得られない。一方、このプロジェクタ用天吊り装置によれば、空気清浄機３の排気口３ｂとプロジェクタ１の吸気口４との距離が近くに保たれているため、プロジェクタ１のフィルタによる集塵量を減少させる効果が十分に得られる。
【００２０】
また、このプロジェクタ用天吊り装置を用いて設置されたプロジェクタは、フィルタ交換を頻繁に行う必要がないため、ユーザがフィルタ交換をすることを忘れてフィルタの目詰まりを起こすことを抑制することができる。よって、このプロジェクタ用天吊り装置を用いて設置されたプロジェクタは、フィルタが目詰まりすることにより生ずることがあるプロジェクタ内部の温度上昇により、プロジェクタ内部の部品が損傷を受けることを防止することができるため、長寿命化する。
【００２１】
以上のように、本実施形態に係るプロジェクタ用天吊り装置によれば、プロジェクタのフィルタの集塵量を減少させることができるため、プロジェクタのメンテナンス性を向上させるとともにプロジェクタを長寿命化させることができる。
【００２２】
また、天吊り式のプロジェクタは人が多く集まる場所に設置されることが多いため、空気を清浄化する必要性があるが、空気清浄機３は、プロジェクタとは独立に設けられているため、このプロジェクタ用天吊り装置を用いてプロジェクタが設置された場所全体の空気を清浄化することができる。また、プロジェクタは常に使用されるものではないが、空気清浄機３は、プロジェクタを使用していないときにも作動させることができるように構成されているため、プロジェクタを使用していないときにも空気を清浄化することができる。
【００２３】
このように、このプロジェクタ用天吊り装置の空気清浄機３は、天吊り金具２と一体とされていること以外は、通常使用される空気清浄機と同様のものであるため、空気清浄機３のメンテナンスは通常使用される空気清浄機と同程度に行うことで十分である。また、通常使用される空気清浄機に代用してこのプロジェクタ用天吊り装置の空気清浄機３を使用することで、空気清浄機のメンテナンス性は以前と同様であるが、プロジェクタのフィルタ交換の回数を減らすことができるため、全体としてメンテナンス性が向上する。
（第２の実施形態）
図２は、本発明の第２の実施形態に係るプロジェクタ用天吊り装置およびそれに取り付けられたプロジェクタの正面図である。
【００２４】
本実施形態に係るプロジェクタ用天吊り装置はダクト６を備えている。なお、このプロジェクタ用天吊り装置は、ダクト６を備えていること以外の構成は第１の実施形態と同様である。
【００２５】
ダクト６は、管状に形成されており、一方の開口部が空気清浄機３の排気口３ｂに取り付けられ、他方の開口部がプロジェクタ１の吸気口４に取り付けられている。これにより、空気清浄機３で清浄化されて排気口３ｂから排出される空気の一部または全部がプロジェクタ１の吸気口４へ送り込まれるように構成されている。
【００２６】
このように、このプロジェクタ用天吊り装置は、空気清浄機３の排気口３ｂから排出された空気を、周囲の空気から埃等が混入されることなく、プロジェクタ１の吸気口４へ送り込むことができる。したがって、このプロジェクタ用天吊り装置を用いて設置されたプロジェクタは、フィルタの集塵量をさらに減少させることができる。
【００２７】
以上のように、本実施形態に係るプロジェクタ用天吊り装置によれば、プロジェクタのフィルタの集塵量を減少させることができるため、プロジェクタのメンテナンス性を向上させるとともにプロジェクタを長寿命化させることができる。
【００２８】
なお、空気清浄機３が作動されているときには、プロジェクタ１を使用していないときにも、空気清浄機３で清浄化された空気は、プロジェクタ１の吸気口４へ送り込まれるが、この空気はプロジェクタ１の内部を通過して、そのままプロジェクタ５の排気口５から排出される。そのため、空気清浄機３の空気を清浄化する機能が損なわれることはない。
【図面の簡単な説明】
【００２９】
【図１】本発明の第１の実施形態に係るプロジェクタ用天吊り装置およびそれに取り付けられたプロジェクタの正面図である。
【図２】本発明の第２の実施形態に係るプロジェクタ用天吊り装置およびそれに取り付けられたプロジェクタの正面図である。
【符号の説明】
【００３０】
１      プロジェクタ
２      天吊り金具
３      空気清浄機
３ａ    吸気口
３ｂ    排気口
４      吸気口
５      排気口
６      ダクト
【図１】
0005023393.tif 000002
【図２】
0005023393.tif 000003